(57)【特許請求の範囲】
【請求項１】
外周に頭髪を巻き付け可能な円筒状のロッド（１）の周壁の長さ方向に、輪ゴム（２）をロッド（１）内に通すための二本のスリット（４）が形成され、ロッド（１）の内側に二本のスリット（４）の両側の周壁を連結する細長条（１２）が設けられて、ロッド（１）の端面形状がほぼＨ字状に形成され、前記二本のスリット（４）が前記細長条（１２）を挟んで設けられ、前記細長条（１２）に前記二本のスリット（４）からロッド（１）内に通した輪ゴム（２）を係止する係止部（３）が形成されたことを特徴とする頭髪巻き具。
【請求項２】
外周に頭髪を巻き付け可能な円筒状のロッド（１）の周壁の長さ方向に、輪ゴム（２）をロッド（１）内に通すための二本のスリット（４）が形成され、ロッド（１）の内側に二本のスリット（４）の外側の周壁を連結する連結板（１５）が設けられ、前記二本のスリット（４）が前記連結板（１５）を挟んで斜め位置に設けられてロッド（１）の端面形状がほぼＳ字状に形成され、前記連結板（１５）に前記二本のスリット（４）からロッド（１）内に通した輪ゴム（２）を係止する係止部（３）が形成されことを特徴とする頭髪巻き具。
【発明の詳細な説明】
【０００１】
【発明の属する技術分野】
本発明は美容室、理容室等でパーマをかけたり、セットしたりする場合に、ロッドに頭髪を巻き付けてから輪ゴムを係止させて、頭髪をカールさせたり或はウェーブさせたりするのに使用される頭髪巻き具に関するものである。
【０００２】
【従来の技術】
パーマをかけるときに頭髪をカールさせるには従来より図７に示す様な円筒状のロッドＡが使用されていた。このロッドＡはプラスチックにより円筒形に成形されており、長手方向中央部が両端側よりも細く形成され、周壁に通気性、通液性を良くするための通孔Ｂが開口され、長手方向両端に輪ゴムＣを係止する突子片Ｄが所定間隔で複数個形成されている。
【０００３】
このロッドＡは図８に示す様に輪ゴムＣで頭髪Ｅに固定する。この場合、頭髪Ｅを巻き付けてから、輪ゴムＣの一部を一方の端面に形成された突子片Ｄに係止し、その輪ゴムＣをロッドＡの長手方向に伸ばしながら長手方向中央付近でねじってＸ字状にクロスさせて他方の端面に形成された突子片Ｄに係止していた。
【０００４】
【発明が解決しようとする課題】
（１）一人の頭に８０〜１００個程度のロッドＡを使用するため、１本づつ輪ゴムをロッドＡに係止しなくてはならず面倒であった。
（２）頭髪ＥをロッドＡに巻き付けた状態で輪ゴムＣを係止ししなくてはならないので、片手でロッドＡを押えつけ、他方の手で輪ゴムＣを取り出して、輪ゴムＣをロッドＡにかけることになり、輪ゴムＣを係止しにくい。
（３）輪ゴムＣの取り出し、係止が面倒であるため時間がかかる。
【０００５】
本発明の目的は、予め輪ゴムをロッドの内部に収容しておき、その輪ゴムを使用して、ロッドに巻いた頭髪を手軽に且つ迅速にロッドに固定できるようにした頭髪巻き具を提供することにある。
【０００６】
【課題を解決するための手段】
本発明の請求項１の頭髪巻き具は、図２（ａ）〜（ｃ）に示す様に、外周に頭髪を巻き付け可能な円筒状のロッド１の周壁の長さ方向に、輪ゴム２をロッド１内に通すための二本のスリット４が形成され、ロッド１の内側に二本のスリット４の両側の周壁を連結する細長条１２が設けられて、ロッド１の端面形状がほぼＨ字状に形成され、前記二本のスリット４が前記細長条１２を挟んで設けられ、前記細長条１２に前記二本のスリット４からロッド１内に通した輪ゴム２を係止する係止部３が形成されたものである。
【０００７】
本発明の請求項２の頭髪巻き具は、図３（ａ）、（ｂ）に示す様に、外周に頭髪を巻き付け可能な円筒状のロッド１の周壁の長さ方向に、輪ゴム２をロッド１内に通すための二本のスリット４が形成され、ロッド１の内側に二本のスリット４の外側の周壁を連結する連結板１５が設けられ、前記二本のスリット４が前記連結板１５を挟んで斜め位置に設けられてロッド１の端面形状がほぼＳ字状に形成され、前記連結板１５に前記二本のスリット４からロッド１内に通した輪ゴム２を係止する係止部３が形成されたものである。
【０００８】
【０００９】
【００１０】
【００１１】
【実施形態】
図１に示す頭髪巻き具はロッド１の内部に輪ゴム２を係止して固定可能な係止部３を形成してある。図１に示すロッド１はプラスチック、器、金属等で円筒状に形成され、長手方向両端部から中央部に向けて外周が徐々に細くなって中央部がくびれており、長手方向両端に周方向に均一間隔で角板状の突子片７が形成され、ロッド１の長手方向中央にパーマ液を通すと共に通気性を高めるための貫通孔８が開口されている。また、ロッド１の周壁には長手方向にスリット４が形成されている。このスリット４は輪ゴム２をロッド１の内側に通すためのものであるため、輪ゴム２を通すことが可能な幅にしてロッド１の全長に形成して、ロッド１の長手方向両端に開口させてある。
【００１２】
ロッド１の内部の長手方向一端側には薄板１０が、反対側端には薄板１１が、夫々スリット４に沿ってロッド１と一体に成形され、薄板１０にはその左から右に向けてＶ字状になる係止用切込み１２ａを入れて、その突き当たりを輪ゴム２を係止可能な係止部３としてある。係止部３の形状は輪ゴム２を係止可能であれば例えばＵ溝やＹ溝等であってもよい。薄板１１にはその右から左に向けてＶ字状になる係止用切込み１２ｂを入れて、その突き当たりを輪ゴム２を係止可能な保持部５としてある。係止部５は輪ゴム２が引戻されるのを防止すると共に、輪ゴム２をロッド１の長手方向端部から外側に容易に引出し可能なる様にするためのものである。
【００１３】
図１のロッド１には予めロッド１の内部に輪ゴム２を収容保持しておく。そのためには輪ゴム２の一部を係止部３に係止し、同輪ゴム２を薄板１０、１１を挟み付ける様にして伸ばしながらスリット４内を通して図１（ａ）の右側に引き、伸ばした輪ゴム２の先端部を保持部５に係止する。これにより輪ゴム２がロッド１内に収容保持される。
【００１４】
図２に示す頭髪巻き具はロッド１の周方向の対向位置２ヶ所に長手方向に沿ってスリット４が形成され、同ロッド１の内部に端面形状が十字状の細長条１２を形成し、その上部突条１３の左側から右側に向けて次第に細くなるＶ字状の切込み１３ａを入れてその根元を係止部３とし、同上部突条１３の右端面を保持体５としてある。また、下部突条１４の右側から左側に向けて次第に細くなるＶ字状の切込み１４ａを入れてその根元を係止部３としてある。また、同下部突条１４の左端面を保持体５としてある。
【００１５】
図２のロッド１の内部には予め輪ゴム２を収容保持しておく。そのためには輪ゴム２をスリット４からロッド１内に入れて係止部３に係止し、その状態で輪ゴム２を図２（ａ）の右側に引いて伸ばし、伸びた輪ゴム２の先端側を保持部５に係止する。これにより輪ゴム２がロッド１内に収容保持される。
【００１６】
図３の頭髪巻き具はロッド１の周方向の左右２ヶ所に長手方向に沿ってスリット４が形成され、そのスリット４間に連結板１５を設けてロッド１の端面形状をＳ字状に形成してある。連結板１５はスリット４に沿ってその全長と同じ長さに形成してある。連結板１５の長手方向一端面の幅方向中央部にはＶ字状の切り込みを入れて係止部３を形成し、連結板１５の長手方向他端面の幅方向中央部には前記切り込みと逆向きのＶ字状の切り込みを入れて保持部（図示されていない）を形成してある。
【００１７】
図３（ａ）のロッド１の内部には予め輪ゴム２を収容保持しておく。そのためには輪ゴム２の輪を広げてその一方をスリット４からロッド１内に入れ、広げた輪ゴム２の他方をスリット４からロッド１内に入れて輪ゴム２を連結板１５の係止部３に係止し、輪ゴム２をスリット４に沿って引き伸ばし、伸びた輪ゴム２の先端側を連結板１５の保持部に係止する。これにより輪ゴム２がロッド１内に収容保持される。
【００１８】
図３（ｂ）に示す頭髪巻き具は基本的構造において図３（ａ）に示すものと同じであり、異なるのは連結板１５の幅方向中央部の上方に上部突条１６を形成し、下方に下部突条１７を形成し、上部突条１６の左側端から右端側に向けて次第に細くなるＶ字状の切込みを入れてその根元を係止部３とし、下部突条１７の右側端から左端側に向けて次第に細くなるＶ字状の切込みを逆向きに入れてその根元を保持部（図示されていない）を形成してある。
【００１９】
図３（ｂ）のロッド１の内部には予め輪ゴム２を収容保持しておく。そのためには輪ゴム２の輪を広げてその一方をスリット４からロッド１内に入れ、広げた輪ゴム２の他方をスリット４からロッド１内に入れて輪ゴム２を連結板１５の上部突条１６の係止部３に係止し、輪ゴム２をスリット４に沿って引き伸ばし、伸びた輪ゴム２の先端側を上部突条１６の右端面の保持部５（図示されていない）に係止する。これにより輪ゴム２がロッド１内に収容保持される。
【００２０】
図４の頭髪巻き具は輪ゴム２を係止する係止部３をロッド１の外側に形成したものである。この係止部３はロッド１の長手方向両端に形成されている複数の突子片７のうちの一つの突子片７の根元の幅方向両側に、図４（ｂ）、（ｄ）に示す様に内側に湾曲する係止凹部２０を形成し、更に、その根元を図４（ｃ）に示す様に肉厚方向に円弧状に凹陥させて肉薄凹部２１を形成し、この係止凹部２０と肉薄凹部２１とにより係止部３を形成して、そこに輪ゴム２を係止固定できるようにしてある。この場合、図４（ｄ）に示す様に係止凹部２１が形成されている突子片７の両側の突子片７の内壁面を次第に内側傾斜になる斜面にして、係止凹部２１が形成されている突子片７とその両側の突子片７との間の間隔２２を次第に狭くして、伸ばして細くした輪ゴム２が入り込む程度にするのが望ましい。その様にすると係止部３に係止した輪ゴム２が確実に保持されて脱落しにくくなる。また、ロッド１には図４（ａ）、（ｂ）に示す様にロッド１の長手方向に沿ってスリット４が形成されている。
【００２１】
図４のロッド１の内部には予め輪ゴム２を収容保持しておく。そのためには輪ゴム２の一端を図４（ａ）に示す様に係止部３に係止すると共に輪ゴム２をスリット４からロッド１の内側に入れ、その状態で輪ゴム２を係止部３と反対側に引伸してロッド１の他端に形成されている保持部（図示されていない）に係止する。これにより輪ゴム２がロッド１内に収容保持される。
【００２２】
【００２３】
【００２４】
【００２５】
【００２６】
【００２７】
【００２８】
【００２９】
【００３０】
【００３１】
【００３２】
【００３３】
【００３４】
【本発明の頭髪巻き具の使用例】
本発明の頭髪巻き具を使用してパーマをかける場合の使用例について説明する。この使用に当っては、前記説明のようにして、ロッド１内に輪ゴム２を収容保持したものを多数本用意しておく。次に、ロッド１の表面に水分を含ませた薄い紙状の不織布等をロッド１の外周に巻き、その上から頭髪を巻き付ける。このとき、輪ゴム２はロッド１内に収容されているため頭髪を巻き付けるときに邪魔にならない。頭髪をロッド１に巻き終えた後にロッド１の保持部に係止保持されている輪ゴム２の先端を外し、その先端部を指でつかんで一旦突子片７に係止させて折返し、更に、ロッド１の長手方向に引き伸ばしながら長手方向中央付近でＸ字状にねじるようにクロスさせて係止部３側の突子片片７に係止する。これにより、輪ゴム２はロッド１に巻いた頭髪をロッド１に固定させることができる。この様にして頭髪にロッド１を一つ一つ巻き付けていき、最終的には１人に約８０〜１００個程度巻き付けていく。
【００３５】
【発明の効果】
本発明の請求項１、２の頭髪巻き具は次のような効果がある。
（１）輪ゴム２を予めロッド１内に収容しておくことができるので、その輪ゴム２を使用してロッドに巻き付けた頭髪を手軽にスムーズ且つ迅速にロッド１に固定することができ、巻き付け時間が大幅に短縮され、作業能率が著しく短縮される。ちなみに従来は、ロッドに頭髪を巻き付けてから、別の場所から輪ゴムを取り出していたので、頭髪の固定に時間がかかっていた。
（２）ロッド１を頭髪に巻き付けた後、ロッド１内に収容された輪ゴムを利用してすぐにロッド１を頭髪に止めることができるため、ロッドへ巻き付けた頭髪が緩みにくい。ちなみに従来は、ロッドに頭髪を巻き付けてから、別の場所から輪ゴムを取り出して、頭髪をロッド１に固定していたので、固定するまでに時間がかかり、ロッドに巻いた頭髪が緩むことが多々あった。
（３）輪ゴム２がロッド１の内部に収容保持されているので、頭髪の巻き付け時に輪ゴムが邪魔にならない。
【００３６】
（４）ロッド１にスリット４が二本形成されているため、輪ゴム２をロッド１内に収容し易く、ロッド１への輪ゴム２の収容保持（セット）が容易になる。
【００３７】
（５）ロッド１に保持部５が形成されてなるので、係止部３に係止されてロッド１内に収容された輪ゴム２の反対側端部を保持部５に係止して、輪ゴム２をロッド１内に確実に収容させておくことができる。このためロッド１内に収容された輪ゴム２がロッド１内に引き戻されない。また、輪ゴム２がブラブラせず、頭髪の巻き付け時に輪ゴム２が邪魔にならず、ロッド１に頭髪を巻き付け易い。
【００３８】
【００３９】
【図面の簡単な説明】
【図１】  （ａ）は頭髪巻き具に輪ゴムを係止させて一部を切欠いた状態の斜視図、（ｂ）は端面図。
【図２】  本発明の頭髪巻き具の実施形態を示すものであり、（ａ）は斜視図、（ｂ）はロッド内の細長条の説明図、（ｃ）は（ａ）の端面図。
【図３】  本発明の頭髪巻き具の実施の形態を示す端面図、（ｂ）は他の実施の形態を示す端面図。
【図４】  （ａ）は頭髪巻き具の係止部に輪ゴムを係止した状態の部分説明図、（ｂ）は係止部付近の部分説明図、（ｃ）は（ｄ）の断面図、（ｄ）は係止部付近の平面図。
【図５】  （ａ）は他の頭髪巻き具の斜視図、（ｂ）は頭髪巻き具を構成する挿入具の第一の実施形態を示す斜視図、（ｃ）は挿入具の第二の実施形態を示す斜視図。
【図６】  （ａ）は挿入具の第三の実施形態を示す斜視図、（ｂ）は挿入具の第四の実施形態を示す斜視図。
【図７】  従来の頭髪巻き具の一例を示す斜視図。
【図８】  従来の頭髪巻き具の使用例を示す説明図。
【符号の説明】
１  ロッド
２  輪ゴム
３  係止部
４  スリット
５  保持部
６  挿入体
１２  細長条
１５  連結板
【図１】
0003775520.tif 000002
【図２】
0003775520.tif 000003
【図３】
0003775520.tif 000004
【図４】
0003775520.tif 000005
【図５】
0003775520.tif 000006
【図６】
0003775520.tif 000007
【図７】
0003775520.tif 000008
【図８】
0003775520.tif 000009